【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  溶接部先端と、
軸線を中心として該溶接部先端を回転させるための回転制御装置であって、該回転制御装置が、溶接されるチューブの通過を容易にする開口を規定する、回転制御装置と、
該軸線に対して長手方向に該溶接部先端を移動させるための並進制御装置、とを有している、軌道溶接機。
【請求項２】  前記並進制御装置が、前記軸線に対して長手方向に移動するように滑動自在に配置された回転子を有し、前記溶接部先端が該回転子に固定されている、請求項１に記載の軌道溶接機。
【請求項３】  前記回転制御装置が、前記軸線を中心として回転するように配置された回転子を有しており、
前記並進制御装置が該回転子に滑動自在に装着されたキャリアを有しており、前記溶接部先端が該キャリアに固定されている、請求項１に記載の軌道溶接機。
【請求項４】  前記並進制御装置がカムブロックを更に有しており、前記回転子が前記軸線を中心として回転すると、前記キャリアの一部がカムブロックの表面を押圧して付勢される、請求項３に記載の軌道溶接機。
【請求項５】  前記カムブロックの前記表面が特定の溶接パターンに従った輪郭を取る、請求項４に記載の軌道溶接機。
【請求項６】  前記特定の溶接パターンが切欠きを設けたＴ字型溶接パターンである、請求項５に記載の軌道溶接機。
【請求項７】  前記特定の溶接パターンが斜めの端部対端部の溶接パターンである、請求項５に記載の軌道溶接機。
【請求項８】  前記カムブロックの前記表面が、
稜線部と、
該稜線部から延びている第１の平面部と、
該稜線部から延びている第２の平面部とを有し、該第２の平面部が第１の平面部に対して非平行である、請求項５に記載の軌道溶接機。
【請求項９】  前記カムブロックが、前記軸線に対して長手方向に可動となるように前記軌道溶接機に取付けられる、請求項４に記載の軌道溶接機。
【請求項１０】  前記並進制御装置が、前記軸線に対して長手方向に前記カムブロックを変位させる機械的手段を有している、請求項９に記載の軌道溶接機。
【請求項１１】  前記並進制御装置が、前記軸線に対して長手方向に前記カムブロックを変位させる電子機械的手段を有している、請求項９に記載の軌道溶接機。
【請求項１２】  前記並進制御装置が、前記軸線に対して長手方向に前記カムブロックを変位させる空気式手段を有している、請求項９に記載の軌道溶接機。
【請求項１３】  前記カムブロックの前記表面を押圧して付勢される前記キャリアの前記一部がホイールを有している、請求項４に記載の軌道溶接機。
【請求項１４】  前記並進制御装置が該ガイド溝を規定している壁を更に有しており、
前記キャリアが、ガイド溝内へと延びるガイドピンを有している、請求項３に記載の軌道溶接機。
【請求項１５】  溶接部先端と、
該溶接部先端を軸線を中心として回転させるための回転制御装置と、
該溶接部先端を該軸線に対して長手方向に移動させる並進制御装置と、
第２の溶接部先端と、
第２の転制御装置と、
第２の並進制御装置と、
を備える軌道溶接機。
【請求項１６】  前記並進制御装置が、前記軸線に対して長手方向に移動するように滑動自在に配置された第１の回転子を有しており、前記溶接部先端が該第１の回転子に固定されており、
前記第２の並進制御装置が、該軸線に対して長手方向に移動するように滑動自在に配置された第２の回転子を有しており、前記第２の溶接部先端が該第２の回転子に固定されている、請求項１５に記載の軌道溶接機。
【請求項１７】  前記回転制御装置が、前記軸線を中心として回転するように配置された第１の回転子を有しており、
前記第２の回転制御装置が、該軸線を中心として回転するように配置された第２の回転子を有しており、
前記並進制御装置が、該第１の回転子に滑動自在に装着された第１のキャリアを有しており、前記溶接部先端が該第１のキャリアに固定されており、
前記第２の並進制御装置が、該第２の回転子に滑動自在に装着された第２のキャリアを有しており、前記第２の溶接部先端が該第２のキャリアに固定されている、請求項１５に記載の軌道溶接機。
【請求項１８】  前記並進制御装置が第１のカムブロックを更に有しており、前記第１の回転子が前記軸線を中心として回転すると、前記第１のキャリアの一部が該第１のカムブロックの表面を押圧して付勢され、
前記第２の並進制御装置が第２のカムブロックを更に有しており、前記第２の回転子が該軸線を中心として回転すると、前記第２のキャリアの一部が該第２のカムブロックの表面を押圧して付勢される、請求項１７に記載の軌道溶接機。
【請求項１９】  前記第１のカムブロックの前記表面が第１の特定の溶接パターンに従って輪郭が取られ、
前記第２のカムブロックの前記表面が第２の特定の溶接パターンに従って輪郭が取られる、請求項１８に記載の軌道溶接機。
【請求項２０】  前記第１の特定の溶接パターンおよび前記第２の特定の溶接パターンが共に、切欠きを設けた交差溶接パターンを形成している、請求項１９に記載の軌道溶接機。
【請求項２１】  前記第１のカムブロックの前記表面が稜線部と、該稜線部から延びる第１の平面部と、該稜線部から延びる第２の平面部とを有し、該第２の平面部が該第１の平面部に対して非平行であり、
前記第２のカムブロックの前記表面が稜線部と、該稜線部から延びる第１の平面部と、該稜線部から延びる第２の平面部とを有し、該第２の平面部が該第１の平面部に対して非平行である、請求項１９に記載の軌道溶接機。
【請求項２２】  前記第１のカムブロックおよび前記第２のカムブロックが、前記軸線に対して長手方向に可動となるように前記軌道溶接機に取りつけられている、請求項１８に記載の軌道溶接機。
【請求項２３】  前記カムブロックの前記表面を押圧して付勢される前記キャリアの一部が各々、ホイールを有している、請求項１８に記載の軌道溶接機。
【請求項２４】  前記並進制御装置が第１のガイド溝を規定している壁を更に有しており、
前記第１のキャリアが、該第１のガイド溝内へと延びているガイドピンを有しており、
前記第２の並進制御装置が、第２のガイド溝を規定している壁を更に有しており、
前記第２のキャリアが、該第２のガイド溝内へと延びているガイドピンを有している、請求項１７に記載の軌道溶接機。
【請求項２５】  溶接部先端と、
軸線を中心として該溶接部先端を回転させるための回転手段であって、該回転手段が、溶接されるチューブの通過を容易にする開口を有する、回転手段と、
該軸線に対して長手方向に該溶接部先端を移動させるための並進手段とを備える、軌道溶接機。
【請求項２６】  前記回転手段が、前記軸線を中心として回転するように配置された回転子を有しており、
前記並進手段が、該軸線に対して長手方向に該回転子を変位させるように機能する、請求項２５に記載の軌道溶接機。
【請求項２７】  前記回転手段が、前記軸線を中心として回転するように配置された回転子を有しており、
前記並進手段が該回転子に滑動自在に装着されたキャリアを有しており、前記溶接部先端が該キャリアに固定されている、請求項２６に記載の軌道溶接機。
【請求項２８】  溶接部先端と、
軸線を中心として該溶接部先端を回転させるための回転手段と、
該軸線に対して長手方向に該溶接部先端を移動させるための並進手段と、
第２の溶接部先端と、
該軸線を中心として該第２の溶接部先端を回転させるための第２の回転手段と、
該軸線に対して長手方向に該第２の溶接部先端を移動させるための第２の並進手段とを備える、軌道溶接機。
【請求項２９】  前記並進手段が、前記軸線に対して長手方向に移動するように滑動自在に配置された第１の回転子を有しており、前記溶接部先端が該第１の回転子に固定されており、
前記第２の並進手段が、前記軸線に対して長手方向に移動するように滑動自在に配置された第２の回転子を有しており、前記第２の溶接部先端が該第２の回転子に固定されている、請求項２８に記載の軌道溶接機。
【請求項３０】  前記回転手段が、前記軸線を中心として回転するように配置された第１の回転子を有しており、
前記第２の回転手段が、該軸線を中心として回転するように配置された第２の回転子を有しており、
前記並進手段が、該第１の回転子に滑動自在に装着された第１のキャリアを有しており、前記溶接部先端が該第１のキャリアに固定されており、
前記第２の並進手段が、該第２の回転子に滑動自在に装着された第２のキャリアを有しており、前記第２の溶接部先端が該第２のキャリアに固定されている、請求項２８に記載の軌道溶接機。
【請求項３１】  前記軌道溶接機の内部チャンバーを規定している本体部と、
該本体部に固定されて、該内部チャンバーを照射するために光を放出するための光源とを備える、軌道溶接機であって、
ここで該光源が、光ファイバーと、
該照射された内部チャンバーの視覚検査を容易にするための、該本体部を通るウィンドウとを備える、軌道溶接機。
【請求項３２】  軌道溶接機であって、以下：
該軌道溶接機の内部チャンバを規定する本体部と；
該内部チャンバを照射するために光を放出するための、該本体部に固定され、発光ダイオードを備える光源と、
該照射された内部チャンバの視覚検査を容易にするための、該本体部を通るウィンドウとを備える、軌道溶接機。
【請求項３３】  軌道溶接機であって、以下：
該軌道溶接機の内部チャンバを規定する本体部と、
該内部チャンバを照射するために光を放出するための、該本体部に固定された複数の光源と、
該照射された内部チャンバの視覚検査を容易にするための、該本体を通るウィンドウとを備える、軌道溶接機。
【請求項３４】  軌道溶接機であって、以下：
該軌道溶接機の内部チャンバを規定する本体部と、
該内部チャンバを照射するために光を放出するための、該本体部に固定された光源と、
該照射された内部チャンバの視覚検査を容易にするための、該本体部を通るウィンドウとを備え、
ここで該本体部が、該光源から該内部チャンバへ光を伝達するための固体光伝達部を含む、軌道溶接機。
【請求項３５】  前記光伝達部が、前記本体部の層を構成する、請求項３４に記載の軌道溶接機。
【請求項３６】  前記光伝達部が開口を規定し、そして、
前記光源が、該開口に配置される、請求項３５に記載の軌道溶接機。
【請求項３７】  前記光伝達部が、端縁を含み、
前記光源が、該端縁に隣接して配置されて、該端縁を通して該光伝達部へ光を放射する、請求項３５に記載の軌道溶接機。
【請求項３８】  環状の回転子に取付けられた溶接部先端と、
該溶接部先端を軸線を中心として回転させるために該溶接部先端に電気的に結合された該回転子であって、該回転子は、電源から該溶接部先端へ溶接電流を送達するのに適合している、回転子と、
該軸線に対して長手方向に該溶接部先端を移動させるための並進制御装置、
とを備える軌道溶接機。
【請求項３９】  前記並進制御装置が、前記軸線に対して長手方向に移動するように滑動自在に配置された前記回転子を備え、前記溶接部先端が、該回転子に固定されている、請求項３８に記載の軌道溶接機。
【請求項４０】  前記並進制御装置が、前記回転子に滑動自在に取り付けられたキャリアを備え、前記溶接部先端は、該キャリアに固定されている、請求項３８に記載の軌道溶接機。
【請求項４１】  前記並進制御装置がカムブロックをさらに備え、前記第回転子が前記軸線を中心として回転すると、前記キャリアの一部が該カムブロックの表面を押圧して付勢される、請求項４０に記載の軌道溶接機。
【請求項４２】  前記カムブロックの前記表面が、特定の溶接パターンに従った輪郭を取る、請求項４１に記載の軌道溶接機。
【請求項４３】  前記特定の溶接パターンが、切欠きを設けたＴ字型溶接パターンである、請求項４２に記載の軌道溶接機。
【請求項４４】  前記特定の溶接パターンが、斜めの端部対端部の溶接パターンである、請求項４２に記載の軌道溶接機。
【請求項４５】  前記カムブロックの前記表面が、
稜線部と、
該稜線部から延びている第１の平面部と、
該稜線部から延びている第２の平面部とを有し、該第２の平面部が該第１の平面部に対して非平行である、請求項４２に記載の軌道溶接機。
【請求項４６】  前記カムブロックが、前記軸線に対して長手方向に可動となるように前記軌道溶接機に取付けられる、請求項４１に記載の軌道溶接機。
【請求項４７】  前記並進制御装置が、前記軸線に対して長手方向に前記カムブロックを変位させる機械的手段を有している、請求項４６に記載の軌道溶接機。
【請求項４８】  前記並進制御装置が、前記軸線に対して長手方向に前記カムブロックを変位させる電子機械的手段を有している、請求項４６に記載の軌道溶接機。
【請求項４９】  前記並進制御装置が、前記軸線に対して長手方向に前記カムブロックを変位させる空気式手段を有している、請求項４６に記載の軌道溶接機。
【請求項５０】  前記カムブロックの前記表面を押圧して付勢される前記キャリアの前記一部がホイールを有している、請求項４１に記載の軌道溶接機。
【請求項５１】  前記カムブロックが、前記キャリアから前記カムブロックへの電流の流れを妨げるための電気的絶縁部を有している、請求項４１に記載の軌道溶接機。
【請求項５２】  環状の回転子に取付けられた溶接部先端と、
該溶接部先端を軸線を中心として回転させるための回転制御装置と、
該溶接部先端を該軸線に対して長手方向に移動させる並進制御装置と、
該回転制御装置を介して該溶接部先端へ電流を送達するように結合された電源、
とを備える軌道溶接機。
【請求項５３】  前記並進制御装置が、前記軸線に対して長手方向に移動するように滑動自在に配置された導電性回転子を有しており、前記溶接部先端が第１の回転子に固定されている、請求項５２に記載の軌道溶接機。
【請求項５４】  前記回転制御装置が、前記軸線を中心として回転するように配置された導電性回転子を有しており、
前記並進制御装置が、該回転子に滑動自在に取付けられた導電性キャリアを有しており、前記溶接部先端が該キャリアに固定されている、請求項５２の軌道溶接機。
【請求項５５】  前記並進制御装置が、電気的絶縁カムブロックをさらに備え、前記第１の回転子が前記軸線を中心として回転すると、前記第１のキャリアの一部が該第１のカムブロックの表面を押圧して付勢される、請求項５４に記載の軌道溶接機。
【請求項５６】  溶接部先端と、
軸線を中心として該溶接部先端を回転させるための、そして電源から該溶接部先端へ電流を伝導するための回転手段と、
該軸線に対して長手方向に該溶接部先端を移動させるための並進手段とを備える、軌道溶接機。
【請求項５７】  前記並進手段が、前記溶接部先端を前記回転手段へ滑動自在に取付けるための、そして該回転手段から該溶接部先端へ電流を伝導するためのキャリア手段をさらに有している、請求項５６に記載の軌道溶接機。